【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
（ａ）化学式Ｐｈ−ＣＨ2［−ＣＨ2ＣＨ（Ｐｈ）］n−ＣＨ2ＣＨ2−Ｐｈの分子の分布であって、
式中、各Ｐｈはフェニル基であり、前記分布中の各分子に関して、「ｎ」は０から６までの範囲内にある整数であり、そこで、
（ｉ）前記分子の少なくとも４６ＧＰＣ面積％が０に等しい「ｎ」値を有し、
（ｉｉ）前記分子の１ＧＰＣ面積％から２６ＧＰＣ面積％までが１に等しい「ｎ」値を有し、
（ｉｉｉ）前記分子の０ＧＰＣ面積％から１４ＧＰＣ面積％までが２に等しい「ｎ」値を有する、分布と、
（ｂ）化学式Ｐｈ−ＣＨ2［−ＣＨ2ＣＨ（Ｐｈ）］n−ＣＨ2ＣＨ2−Ｐｈの分子の分布であって、
式中、各Ｐｈはフェニル基であり、式中、前記分布中の各分子に関して、「ｎ」は０から６までの範囲内にある整数であり、そこで、前記分布は、前記分布中の前記分子の多数が０という「ｎ」値を有し、前記分布中の前記分子の４９ＧＰＣ面積％を超えない少数が１、２、３、４、５、または６という「ｎ」値を有することを特徴とし、そこで、前記ＧＰＣ面積％が、「ｎ」が１に等しい場合＞「ｎ」が２に等しい場合＞「ｎ」が３に等しい場合＞「ｎ」が４に等しい場合＞「ｎ」が５に等しい場合＞「ｎ」が６に等しい場合という順序で少なくなっていく、分布と、
（ｃ）化学式Ｐｈ−ＣＨ2［−ＣＨ2ＣＨ（Ｐｈ）］n−ＣＨ2ＣＨ2−Ｐｈの分子の非重合体および非数量体の分布であって、
式中、各Ｐｈはフェニル基であり、かつ、前記分布中の各分子に関して、「ｎ」は０から６までの範囲内にある整数であり、そこで、前記分布は１から６までの「ｎ」値を有する分子を含む、分布と、
のうち１つ以上から成るテロマー分布。
【請求項２】
前記分布が、「ｎ」＝０を有する分子に対する４６ＧＰＣ面積％から７６ＧＰＣ面積％までの含有量と、「ｎ」＝１を有する分子に対する１６ＧＰＣ面積％から２６ＧＰＣ面積％までの含有量と、「ｎ」＝２を有する分子に対する１ＧＰＣ面積％から１４ＧＰＣ面積％までの含有量とを有することを特徴とする、請求項１に記載のテロマー分布。
【請求項３】
前記分布が、
（ｉ）０に等しい「ｎ」値を有する、７６ＧＰＣ面積％から９５ＧＰＣ面積％までの前記分子と、
（ｉｉ）１に等しい「ｎ」値を有する、１７ＧＰＣ面積％から５ＧＰＣ面積％までの前記分子と、
（ｉｉｉ）２に等しい「ｎ」値を有する、５ＧＰＣ面積％から０ＧＰＣ面積％までの前記分子と、
を有することを特徴とする、請求項１に記載のテロマー分布。
【請求項４】
前記分布が、
（ｉ）０に等しい「ｎ」値を有する、９５ＧＰＣ面積％から９９ＧＰＣ面積％までの前記分子と、
（ｉｉ）１に等しい「ｎ」値を有する、５ＧＰＣ面積％から１ＧＰＣ面積％までの前記分子と、
を有することを特徴とする、請求項１に記載のテロマー分布。
【請求項５】
下記のもの：
（ａ）化学式Ｐｈ−ＣＨ2［−ＣＨ2ＣＨ（Ｐｈ）］n−ＣＨ2ＣＨ2−Ｐｈの分子の分布であって、
式中、各Ｐｈは１個から５個の臭素原子を有する臭素化フェニル基であり、前記分布中の各分子に関して、「ｎ」は０から６までの範囲内にある整数であり、そこで、
（ｉ）前記分子の少なくとも４６ＧＰＣ面積％が０に等しい「ｎ」値を有し、
（ｉｉ）前記分子の１ＧＰＣ面積％から２６ＧＰＣ面積％までが１に等しい「ｎ」値を有し、
（ｉｉｉ）前記分子の０ＧＰＣ面積％から１４ＧＰＣ面積％までが２に等しい「ｎ」値を有する、分布と、
（ｂ）化学式Ｐｈ−ＣＨ2［−ＣＨ2ＣＨ（Ｐｈ）］n−ＣＨ2ＣＨ2−Ｐｈの分子の分布であって、
式中、各Ｐｈは１個から５個の臭素原子を有する臭素化フェニル基であり、前記分布中の各分子に関して、「ｎ」は０から６までの範囲内にある整数であり、そこで、前記分布は、前記分布中の前記分子の多数が０という「ｎ」値を有し、前記分布中の前記分子の４９ＧＰＣ面積％を超えない少数が１、２、３、４、５、または６という「ｎ」値を有することを特徴とし、そこで、前記ＧＰＣ面積％が、「ｎ」が１に等しい場合＞「ｎ」が２に等しい場合＞「ｎ」が３に等しい場合＞「ｎ」が４に等しい場合＞「ｎ」が５に等しい場合＞「ｎ」が６に等しい場合という順序で少なくなっていく、分布と、
（ｃ）化学式Ｐｈ−ＣＨ2［−ＣＨ2ＣＨ（Ｐｈ）］n−ＣＨ2ＣＨ2−Ｐｈの分子の非重合体および非数量体の分布であって、
式中、各Ｐｈは２個から５個の臭素原子を有する臭素化フェニル基であり、式中、前記分布中の各分子に関して、「ｎ」は０から６までの範囲内にある整数であり、そこで、前記分布は１から６までの「ｎ」値を有する分子を含む、分布と、
のうち１つ以上を特徴とする、臭素化テロマー分布。
【請求項６】
７７重量％から８１重量％の範囲内にある臭素含有率の臭素を有する、請求項５に記載の臭素化テロマー分布。
【請求項７】
７２重量％から７７重量％の範囲内にある臭素含有率の臭素を有する、請求項５に記載の臭素化テロマー分布。
【請求項８】
４５重量％から７２重量％の範囲内にある臭素含有率の臭素を有する、請求項５に記載の臭素化テロマー分布。
【請求項９】
３００℃で１，０００ｐｐｍ未満、２８０℃で３００ｐｐｍ未満の熱ＨＢｒ含有率を有する、請求項５〜８の何れかに記載の臭素化テロマー分布。
【請求項１０】
３２０℃以上の温度で起こる５重量％のＴＧＡ重量損失を有する、請求項５〜８の何れかに記載の臭素化テロマー分布。
【請求項１１】
１０未満のハンター色ＹＩを有する、請求項５〜８の何れかに記載の臭素化テロマー分布。
【請求項１２】
１３５℃から２１５℃までの範囲内にあるＴgを有するか、１６０℃から３１０℃までの範囲内に存在する示差走査熱量測定法の融点の最小限度を有する、請求項５〜８の何れかに記載の臭素化テロマー分布。
【請求項１３】
・７７重量％から８１重量％の範囲内にある臭素含有率と、
・３００℃における１，０００ｐｐｍ未満の熱ＨＢｒ含有率と、
・３２０℃以上で起こる５重量％のＴＧＡ重量損失と、
・１０未満のハンター色ＹＩと、
・１７０℃から２１５℃までの範囲内、および／または、２２５℃から３１０℃までの範囲内に存在する示差走査熱量測定法の融点の最小限度にあるＴgと、
を有する、請求項５に記載の臭素化テロマー分布。
【請求項１４】
難燃量の請求項５、６、７、８、１３の何れかに記載の組成物を含有する、難燃ＨＩＰＳ系重合体組成物または難燃ＡＢＳ系重合体組成物。
【請求項１５】
その中に難燃量の請求項５または８に記載の組成物が含まれている熱硬化性樹脂を含む、難燃熱硬化性樹脂組成物。
【請求項１６】
前記熱硬化性樹脂がノボラック樹脂である、請求項１５に記載の組成物。
【請求項１７】
前記組成物が共力量の難燃性共力剤を追加的に含有する、請求項１５に記載の組成物。
【請求項１８】
前記難燃性共力剤がアンチモン含有共力剤である、請求項１７に記載の組成物。
【請求項１９】
前記共力剤の量が、前記組成物の総重量に基づいて１重量％から１２重量％までの範囲内にある、請求項１７〜１８の何れかに記載の組成物。
【請求項２０】
その調合物が、難燃剤として、請求項５または８に記載の組成物を含有することを特徴とする、ポリウレタンの調製のための調合物。
【請求項２１】
少なくとも１つの難燃性共力剤をさらに含む、請求項２０に記載の調合物。
【請求項２２】
前記共力剤がアルキル化リン酸トリフェニルである、請求項２０に記載の調合物。
【請求項２３】
３２０℃以上の温度で起こる５重量％のＴＧＡ重量損失を有し、および／または、１０未満のハンター色ＹＩを有する請求項９記載の臭素化テロマー分布。
【請求項２４】
１３５℃から２１５℃までの範囲内にあるＴgを有するか、１６０℃から３１０℃までの範囲内に存在する示差走査熱量測定法の融点の最小限度を有する、請求項９記載の臭素化テロマー分布。
【請求項２５】
難燃量の請求項９記載の組成物を含む難燃ＨＩＰＳ系重合体組成物または難燃ＡＢＳ系重合体組成物。